(57)【特許請求の範囲】
【請求項１】
ポンプ部材を上方付勢させて起立するポンプ式の液体吐出容器において、該ポンプ部材の上端に嵌着させたノズル付きの押し下げヘッドであって、
ノズルヘッドと、
前記ノズルヘッドの頂部に当接するヘッド押し下げ部材と、
前記ヘッド押し下げ部材に付設する部材であって、前記ノズルヘッドの頂部に前記ヘッド押し下げ部材を戴置した際、前記ノズルヘッドの前記ノズルの近傍に位置する窓部と、前記窓部へ導通している開口を備える液体受け部材と、を備え、
前記液体受け部材の内部に吐出液体受け具を挿入して前記液体受け部材の底部を押圧すると、前記ノズルヘッドが押し下げられ前記ノズルから前記液体受け部材の内空間に液体が吐出する液体吐出容器の押し下げヘッド。
【請求項２】
前記液体受け部材は底部に廃液室を備えることを特徴とする請求項１に記載の押し下げヘッド。
【請求項３】
ポンプ部材を上方付勢させて起立するポンプ式の液体吐出容器において、該ポンプ部材の上端に嵌着させたノズル付きの押し下げヘッドであって、
複数のノズルヘッドと、
前記複数のノズルヘッドの頂部に当接する一又は複数のヘッド押し下げ部材と、
前記一又は複数のヘッド押し下げ部材に付設する部材であって、前記複数のノズルヘッドの頂部に前記一又は複数のヘッド押し下げ部材を戴置した際、前記複数のノズルヘッドの前記ノズルの各々の近傍に位置する複数の窓部と、前記窓部へ導通している開口を備える液体受け部材と、を備え、
前記液体受け部材の内部に吐出液体受け具を挿入して前記液体受け部材の底部を押圧すると、前記ノズルヘッドが押し下げられ前記ノズルから対向する前記液体受け部材の内空間に液体が吐出することを特徴とする液体吐出容器の押し下げヘッド。
【請求項４】
請求項１乃至３のいずれかに記載の押し下げヘッドを備える液体吐出容器。
【発明の詳細な説明】
【技術分野】
【０００１】
本発明は、ポンプ式の液体吐出容器のノズル付き押し下げヘッドに関する。
【背景技術】
【０００２】
従来のポンプ式の液体吐出容器は、容器体内へ垂設させたシリンダ内から上方付勢させてポンプ部材を起立させ、該ポンプ部材上端のノズル付き押し下げヘッドを介してポンプ部材を上下動させることで容器体内液体をシリンダ内へ吸上げ、又該シリンダ内液体を上記ノズルから吐出可能に設けた液体吐出容器が広く用いられている。
【０００３】
前述の容器体内液体で例えばパフ状の塗布用布を濡らし、該布を用いて液体を使うと便利な場合があるが、このような場合、従来は一方の手でノズル先端に布を当て、他方の手でポンプ操作を行うこととなるため両手を使用することが必要となり、一方の手が患者やペットの特定部位を保持しているときは、上記操作ができない。特許文献１には、押し下げヘッドを上下２部材で形成し、上部材を開き、塗布用布で下部材の受皿状部上面を塞いでポンプ部材を押し下げることで該布を濡らすことを片手操作でできる発明が記載されている。
【先行技術文献】
【特許文献】
【０００４】
【特許文献１】特許３８９５５０４号公報
【発明の概要】
【発明が解決しようとする課題】
【０００５】
ところが、上記のような押し下げヘッドでは、綿棒のような液体受け具を用いると、綿棒には十分な液体を付着させることができないとともに吐出する液体の漏出が発生し、液体吐出容器が液垂れで汚れ不衛生であるという問題があった。本発明は、このような問題に鑑み、片手操作でポンプ操作を行い、同時に布や綿棒等を液体に浸すことができ、かつ容器自体には液垂れが発生せず衛生的な液体吐出容器及びその押し下げヘッドを提供することを課題とする。
【課題を解決するための手段】
【０００６】
上記問題を解決するために、本発明は、ポンプ部材を上方付勢させて起立するポンプ式の液体吐出容器において、該ポンプ部材の上端に嵌着させたノズル付きの押し下げヘッドであって、ノズルヘッドと、ノズルヘッドの頂部に当接するヘッド押し下げ部材と、ヘッド押し下げ部材に付設する部材であって、ノズルヘッドの頂部にヘッド押し下げ部材を戴置した際、ノズルヘッドのノズルの近傍に位置する窓部と、窓部へ導通している開口を備える液体受け部材とを備えることを特徴とする。
【０００７】
また、液体受け部材の内部に吐出液体受け具を挿入して液体受け部材の底部を押圧すると、ノズルヘッドが押し下げられノズルから液体受け部材の内空間に液体が吐出することを特徴とする。なお、液体受け部材は底部に廃液室を備えてもよい。
【０００８】
本発明は、ポンプ部材を上方付勢させて起立するポンプ式の液体吐出容器において、該ポンプ部材の上端に嵌着させたノズル付きの押し下げヘッドであって、複数のノズルヘッドと、複数のノズルヘッドの頂部に当接する一又は複数のヘッド押し下げ部材と、一又は複数のヘッド押し下げ部材に付設する部材であって、複数のノズルヘッドの頂部に一又は複数のヘッド押し下げ部材を戴置した際、複数のノズルヘッドの前記ノズルの各々の近傍に位置する複数の窓部と、窓部へ導通している開口を備える液体受け部材とを備えることを特徴とする。本発明の場合も、液体受け部材の内部に吐出液体受け具を挿入して液体受け部材の底部を押圧すると、ノズルヘッドが押し下げられノズルから対向する液体受け部材の内空間に液体が吐出するようにしてもよい。
【０００９】
また、本発明は、上述した押し下げヘッドを備えることを特徴とする液体吐出容器や、該液体吐出容器を収容することを特徴とする外容器である。
【発明の効果】
【００１０】
本発明に係る液体吐出容器の押し下げヘッドは、綿棒や布等の吐出液体受け具で液体受け部材の底部を押し下げることで、ポンプ部材が押し下げられノズルから液体を吐出させて、綿棒や布を濡らすことを片手操作で行うことができ、使いやすいという効果がある。しかも、本発明に係る液体吐出容器の押し下げヘッドの構成であれば、液垂れによる容器の汚損も発生しないという衛生面での効果がある。また、本発明に係る複数のノズルヘッドを備える液体吐出容器を使用すれば、綿棒等を液体受け部材に先に挿入しておき、次に片手でヘッド押し下げ部材を押し下げることにより、綿棒等に両側から液体を吐出することができ、綿棒等の全体に液体を塗布することができるという効果もある。
【図面の簡単な説明】
【００１１】
【図１】本発明の実施例１に係るポンプ式液体吐出容器１の正面図である。
【図２】本発明の実施例１に係るポンプ式液体吐出容器１の押し下げヘッド２の透明斜視図である。
【図３】図２の押し下げヘッド２の液体受け部材の内部を示す部分破断斜視図である。
【図４】図２の押し下げヘッド２の平面図である。
【図５】図４に示される線ＡＡにおける断面を示す図解図である。
【図６】本発明の実施例１に係るヘッド押し下げ部材２０がノズルヘッド１０を収納する状態を示す図である。
【図７】液体吐出受け具を使用して、本発明の実施例１に係る押し下げヘッド２において、液体が吐出する状態を示す図である。
【図８】本発明の実施例１に係る液体吐出容器の押し下げヘッドの変形形態２’を示す斜視図である。
【図９】本発明の実施例１に係る液体吐出容器の押し下げヘッドの別の変形形態２’’の断面図である。
【図１０】本発明の実施例２に係るポンプ式液体吐出容器を収納した外容器１００の正面図である。
【図１１】本発明の実施例２に係るポンプ式液体吐出容器の押し下げヘッド１０２を示す図である。
【図１２】本発明の実施例２に係るポンプ式液体吐出容器を収納した外容器の変形形態１００’を示す図である。
【図１３】本発明の実施例３に係るポンプ式液体吐出容器を収容した外容器２００を示す図である。
【図１４】本発明の実施例３に係るポンプ式液体吐出容器の押し下げヘッド２０２を示す図である。
【発明を実施するための形態】
【００１２】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限られるものではない。
【００１３】
本発明は、液体吐出容器１において、次のような特徴を有する。
【００１４】
押し下げヘッド２は、ノズルヘッド１０と、ノズルヘッド１０の頂部を押圧により押し下げヘッド２を上下することができるヘッド押し下げ部材２０と、ヘッド押し下げ部材２０に付設する液体受け部材３０であって、上部が開口しかつノズルヘッド１０の頂部にヘッド押し下げ部材２０を戴置した際、ノズルヘッド１０のノズルが液体を吐出する位置に窓部３９を備える液体受け部材３０とを備える構成になっているところに特徴がある。したがって、後述するとおり、液体受け部材３０の内部に綿棒や布等の吐出液体受け具Ｍを挿入して液体受け部材３０の底部３７を押圧すると、ノズルヘッド１０が押し下げられノズルから対向する液体受け部材３０の内周壁３６ａに液体が吐出するので、液体綿棒等の吐出液体受け具Ｍは液体を付着することになる。
【実施例１】
【００１５】
実施例１を図面を参照して詳細に説明する。
【００１６】
図１は、本発明の実施例１に係る液体吐出容器１の全体構成を示す正面図である。図１において、本発明の理解を容易にするため、本発明の特徴部分である押し下げヘッド２のみ断面図で示している。
【００１７】
まず、液体吐出容器１の全体構成を説明する。公知の構成について説明すると、４は容器体、３はその容器体内へ垂設したポンプとシリンダとシリンダ内から上方付勢させて起立する作動部を収容するポンプ部材を示す。該作動部はステム下端に筒状ピストンを有し、かつステム上端にノズル付きの押し下げヘッドを嵌合させている。上記ポンプはシリンダ内から押し下げヘッドを上端に有する作動部を起立させ、該作動部の上下動で容器体内液体をシリンダ内へ、また該シリンダ内液体を後述する押し下げヘッド２のノズルから吐出可能に設けたものであればよい。なお、容器体４及び作動部３の部材は公知のものであり、詳細は図示しない。
【００１８】
図２乃至４を参照する。図２は、本発明の実施例１に係るポンプ式の液体吐出容器１の押し下げヘッド２の透明斜視図である。図３は、図２の押し下げヘッド２の液体受け部材３０の内部を示す部分破断斜視図である。図４は、図２の押し下げヘッド２の平面図である。図５は、図４に示される線ＡＡにおける押し下げヘッド２の断面を示す図解図である。
【００１９】
理解を容易にするため、図２は、押し下げヘッド２からノズルヘッド１０を除いたヘッド押し下げ部材２０と液体受け部材３０を示している。図２に示すとおり、ヘッド押し下げ部材２０は、矩形の上面２１を上面にする四角柱であり、底面２５から、ノズルヘッド１０を収納できるように、ノズルヘッド１０の円形上面の径よりもやや大きな径の中空部２５を備える。中空部２５は、ヘッド押し下げ部材２０の高さ略中央から底部に設けられている。液体受け部材３０は、ヘッド押し下げ部材２０に付設し、上部が開口しかつノズルヘッド１０の頂部１２にヘッド押し下げ部材２０を戴置した際、ノズルヘッド１０のノズルが液体を吐出する位置に窓部３９を備える。
【００２０】
図３は、図２をより容易に理解するため、液体受け部材３０の正面側の部材を部分破断して示している。上述したとおり、液体受け部材３０は、上縁３１と周壁３２と底面３３を備える四角柱であり、内周壁３６と内底面３７と開口３５を備える。また、上述した窓部３９はヘッド押し下げ部材３０に付設する内壁部３６（ｂ）に設けられている。
【００２１】
図４及び５を参照する。図４は、押し下げヘッド２の平面図である。ヘッド押し下げ部材２０は上面２１を備え、液体受け部材３０は上縁３１と開口３５を備えている。図５は、図４に示すＡＡ線断面を示している。図５に示すとおり、押し下げ部材２０は上面２１の他、周壁２２と底面２３を備え、さらに中空部２５と、ノズルヘッド１０の頂部１２に接する押さえ部２４を設けている。一方、液体受け部材３０は、上縁３１と外周壁３２と底面３３を備え、中空になった筒内には内周壁３６、内底面３７、窓部３９を設けており、窓部３９へ導通する開口３５を備える。
【００２２】
図６及び７を参照する。図６は、本発明の実施例１に係るヘッド押し下げ部材２０がノズルヘッド１０を収納する状態を示す図である。図７は、液体吐出受け具Ｍを使用して、本発明の実施例１に係る押し下げヘッド２において、液体が吐出する状態を示す図である。
【００２３】
図６（ａ）に示すとおり、まず、ノズルヘッド１０をヘッド押し下げ部材２０に挿入する。次に図６（ｂ）に示すように、ノズルヘッド１０をヘッド押し下げ部材２０の押し下げ部２４に当接するまで挿入し、ノズルヘッド１０のノズルが液体受け部材３０の窓部３９の中央に戴置されるようノズルヘッド１０の向きを調整すると、ノズルヘッド１０はヘッド押し下げ部材２０に嵌着する。
【００２４】
図７を参照する。図７において、液体吐出受け具Ｍは綿棒を用いている。まず、図７（ａ）に示すように、綿棒Ｍを上方から液体受け部材３０の開口３５に内底面３７まで挿入する。次に（ｂ）に示すとおり、綿棒Ｍで内底面３７を下方に押圧する。該押圧力は、液体受け部材３０に付設するヘッド押し下げ部材２０の押し下げ部２４に伝達し、ノズルヘッド１０の頂部１２を押圧する。そうすると、容器体内へ垂設したポンプが作動し、ポンプ部材３の上下動で容器体内液体をシリンダ内へ移動し、また該シリンダ内に移動した液体は押し下げヘッド２のノズルヘッド１０のノズルから、図７（ｃ）に示すように、窓部３９を介して対向する内周壁部３６（ａ）の方向に吐出し、綿棒Ｍは液体を受けることになる。また、別の使用方法として、綿棒Ｍを液体受け部材３０に先に挿入しておき、次に片手でヘッド押し下げ部材２０を押し下げることにより、綿棒Ｍに液体を吐出することもできる。
【００２５】
上記構成において、吐出溶液受け具Ｍとして、綿棒の代わりに塗布用布を使用する場合は、例えば、ガーゼ小片を鉗子で挟持して使用する場合は、開口を広げた大きさの液体受け部材３０を用いればよい。
【００２６】
図８を参照する。図８は、本発明の実施例１に係る液体吐出容器の押し下げヘッドの変形形態２’を示す斜視図である。図２において押し下げ部材２０が四角柱の筒状体であるのに対し、図８においては円柱の筒状体である。なお、押し下げ部材２０又は液体受け部材３０はそれぞれ円柱や角柱の筒状体や椀体や円錐体等の任意の組み合わせが可能である。
【００２７】
図９を参照する。図９は、本発明の実施例１に係る液体吐出容器の押し下げヘッドの別の変形形態２’’の断面図である。
【００２８】
図９に示すとおり、液体受け部材３０の内底面３７は通孔４１を備え、内底面３７の下部は中空の廃液室４０を備える。綿棒等の吐出液体受け具Ｍに吐出付着した後、余剰の液体は内底面３７の通孔４１を介して廃液室４０に残留する。内底面３７は通孔４１を設ける以外に、簀子やメッシュの構成であってもよい。また、図９に示すように、開閉自在の蓋部Ｃを、液体受け部材３０の上縁３１で、付設するヘッド押し下げ部材２０の上面２１との境界近傍に備えてもよい。なお、廃液室４０の底面又は側面に液体の排出口を設けることも可能である。
【実施例２】
【００２９】
実施例２を図面を参照して詳細に説明する。
【００３０】
図１０は、本発明の実施の形態２に係る液体吐出容器を収容する外容器１００の全体構成を示す正面破断断面図である。
【００３１】
図１０に示すとおり、外容器１００は、ノズルヘッド１１０とヘッド押し下げ部材１２０と液体受け部材１３０とから構成される押し下げヘッド１０２と、ポンプ部材１０３、容器体１０４、外筒１０５、外底１０６、容器体保持部１０７を備える。外筒１０５は液体吐出容器１０１を収納する筒状体であり、底部で外底１０６に嵌着され、外底１０６の容器保持部１０７は容器体１０４をその底部で保持し固定する。また、外筒１０５の上面中央は、液体受け部材１３０を支持する大きさの開口を設け、さらに液体受け部材１３０がポンプ部材１０３の付勢力により上下に摺動可能にするガイド部１０８を備えている。
【００３２】
図１１を参照する。図１１は、本発明の実施例３に係るポンプ式液体吐出容器の押し下げヘッド１０２を示す図である。前述したとおり、押し下げヘッド１０２は、ノズルヘッド１１０とヘッド押し下げ部材１２０と液体受け部材１３０とを備えている。なお、押し下げヘッド１０２の構造の理解を容易にするため、ノズルヘッド１１０は省略している。図１１（ａ）は、斜視図であり、（ｂ）は正面断面図である。図１１（ａ）及び（ｂ）に示すとおり、ヘッド押し下げ部材１２０は、液体受け部材１３０の後述する窓部１３９の位置より少し上方の側壁に対し略垂直に板状部材として設けられ、ヘッド押し下げ部材１２０の底面１２４はノズルヘッドの頂部１１２に当接する。また、液体受け部材１３０は、外筒１０５の中央開口に外筒内部からガイド部１０８を介して上方に貫出するよう設けられ、ノズルヘッド１１０のノズルの対向する側壁近傍に窓部１３９を備える。また、液体受け部材１３０は上面に開口１３５を備え、液体吐出受け具Ｍの挿入口となる。
【００３３】
図１２を参照する。図１２は、本発明の実施例２に係るポンプ式液体吐出容器を収納した外容器の変形形態１００’を示す図である。図１０に示した外容器１００と相違する点は、外容器１００’において、液体受け部材１３０は、底部１３７に廃液口１４２を備え、廃液口１４２は廃液管１６０が連結し、外底１０６に廃液室１５０を設けている点にある。液体受け部材１３０の底部１３７に残留する廃液は、廃液口１４２から廃液管１６０を介して廃液室１５０に流出する。なお、廃液室１５０は外容器１００’に着脱可能に嵌着されてもよい。上記相違点以外は、図１０と同様であるので、省略する。
【００３４】
実施例２の使用例については、液体受け部材１３０が外筒１００のガイド部１０８にガイドされて上下に摺動する以外は、原理は実施例１と同様であるので、図７を参照されたい。
【実施例３】
【００３５】
実施例３を図面を参照して詳細に説明する。
【００３６】
図１３は、本発明の実施の形態３に係る液体吐出容器を収容する外容器２００の全体構成を示す正面断面図である。図１３に示すとおり、外容器２００は、ノズルヘッド２１０とヘッド押し下げ部材２２０と液体受け部材２３０とから構成される押し下げヘッド２０２と、ポンプ部材２０３、容器体２０４、外筒２０５、外底２０６、容器体保持部２０７を備える。外筒２０５は液体吐出容器２０１を収納する筒状体であり、底部で外底２０６に嵌着され、外底２０６の容器保持部２０７は容器体２０４をその底部で保持し固定する。また、外筒２０５の上面中央は、液体受け部材２３０を支持する大きさの開口を設け、さらに液体受け部材２３０がポンプ部材２０３の付勢力により上下に摺動可能にするガイド部２０８を備えている。
【００３７】
図１４を参照する。図１４は、本発明の実施例３に係るポンプ式液体吐出容器の押し下げヘッド２０２を示す図である。押し下げヘッド２０２は、一対のノズルヘッド２１０Ａ、２１０Ｂと一対のヘッド押し下げ部材２２０Ａ、２２０Ｂと一つの液体受け部材２３０とを備えている。図１４に示すとおり、液体受け部材２３０は、外筒２０５の中央開口に外筒内部からガイド部２０８を介して上方に貫出するよう設けられ、一対のノズルヘッド２１０Ａ、２１０Ｂの各ノズルの対向する側壁近傍に一対の窓部２３９Ａ、２３９Ｂを備える。一対のヘッド押し下げ部材２２０Ａ、２２０Ｂは、液体受け部材２３０の後述する一対の窓部２３９Ａ、２３９Ｂの位置より少し上方の各側壁に略垂直に板状部材として設けられ、ヘッド押し下げ部材２２０Ａ、２２０Ｂの底面１２４Ａ、１２４Ｂは対応するノズルヘッド２１０Ａ、２１０Ｂの頂部２１２Ａ、２１２Ｂに当接している。
【００３８】
実施例３において、複数のノズルヘッドの配置として各々が対向し合う配置とし、液体受け部材２２０が該複数のノズルヘッドの間に配置されている。なお、複数のノズルヘッドの配置として各々が対向し合う配置以外、例えば、並列に並んだ配置とすることも可能である。このような配置であれば、ガーゼなど多少幅広のものに対して、大きな面積に液体を塗布することができる。
【００３９】
以上、本発明に係る液体吐出容器及びその押し下げヘッドにおける好ましい実施形態を図示して説明してきたが、本発明の技術的範囲を逸脱することなく種々の変更が可能であることは理解されるであろう。
【産業上の利用可能性】
【００４０】
本発明の液体吐出容器は、片手でしかも微力の操作が可能であり、所望の液量を綿棒やガーゼに付着させることができるため、医療用、理美容用、介護用、家庭用の消毒・清掃に係る補助用品や、ペット等動物の細部清掃及び消毒に係る用具として広く利用することができる。
【符号の説明】
【００４１】
１、１０１、２０１  液体吐出容器
２、２’、２’’、１０２、２０２  押し出しヘッド
３、１０３、２０３  ポンプ部材
４、１０４、２０４  容器体
１０、１１０、２１０  ノズルヘッド
２０、１２０、２２０  ヘッド押し下げ部材
３０、１３０、２３０  液体受け部材
３９、１３９、２３９  窓部
４０  廃液室
１００、１００’、２００  外容器
１０８、２０８  ガイド部
Ｍ  吐出液体受け具
【図１】
0005959048.tif 000002
【図２】
0005959048.tif 000003
【図３】
0005959048.tif 000004
【図４】
0005959048.tif 000005
【図５】
0005959048.tif 000006
【図６】
0005959048.tif 000007
【図７】
0005959048.tif 000008
【図８】
0005959048.tif 000009
【図９】
0005959048.tif 000010
【図１０】
0005959048.tif 000011
【図１１】
0005959048.tif 000012
【図１２】
0005959048.tif 000013
【図１３】
0005959048.tif 000014
【図１４】
0005959048.tif 000015